(57)【要約】アクセスネットワークとホームネットワークとの間で移動ノードのデータレートおよび状態情報を転送する方法およびシステムを提供する。移動ノードは、移動ノードが動作するデータレートおよび移動ノードのドーマンシ状態のような移動ノード情報を無線アクセスネットワークに送信し、それが該情報を外部エージェントに転送することによって、外部ネットワーク上の外部エージェントに登録することができる。外部エージェントは次いで移動ノードのホームネットワーク上のホームエージェントに接触して、呼をセットアップすることができる。外部エージェントは、呼セットアップ中または呼中にも、データレートまたはドーマンシ状態のような移動ノード情報をホームエージェントに送信することができる。
2005537767.tif 000002
【特許請求の範囲】
【請求項１】
アクセスネットワークを介してホームネットワークと通信する移動ノードを有するネットワークにおいて、
前記アクセスネットワークから前記ホームネットワークに移動ノード情報を送信するステップを含み、
前記移動ノード情報が、前記移動ノードが動作するデータレートおよび前記移動ノードが活動中であるかどうかを示すドーマンシパラメータから成る群から選択される情報を少なくとも含んで成る、
方法。
【請求項２】
前記アクセスネットワークから前記ホームネットワークに前記移動ノード情報を送信する前記ステップが、前記移動ノード情報を外部エージェントからホームエージェントに送信するステップを含む、請求項１に記載の方法。
【請求項３】
前記アクセスネットワークから前記ホームネットワークに前記移動ノード情報を送信する前記ステップが、前記アクセスネットワークから前記ホームネットワークに登録要求を送信するステップを含み、前記登録要求が少なくとも前記移動ノード情報を含む、請求項１に記載の方法。
【請求項４】
前記アクセスネットワークから前記ホームネットワークに前記移動ノード情報を送信する前記ステップが、
前記アクセスネットワークで無線アクセスネットワークからＡ−１１メッセージを受信するステップと、
前記アクセスネットワークが応答して、代理登録要求メッセージを前記ホームネットワークに送信するステップと、
を含み、前記代理登録要求メッセージが少なくとも前記移動ノード情報を含む、
請求項１に記載の方法。
【請求項５】
前記アクセスネットワークから前記ホームネットワークに前記移動ノード情報を送信する前記ステップが、前記移動ノードが動作するデータレートが変化したときにいつでも前記移動ノード情報を送信するステップを含む、請求項１に記載の方法。
【請求項６】
前記ドーマンシパラメータが課金目的のためにアカウンティング停止を前記ホームネットワークに示す、請求項１に記載の方法。
【請求項７】
前記ドーマンシパラメータが課金目的のためにアカウンティング開始を前記ホームネットワークに示す、請求項１に記載の方法。
【請求項８】
前記アクセスネットワークから前記ホームネットワークに前記移動ノード情報を送信する前記ステップが、前記移動ノードが活動状態になったとき、および前記移動ノードが休眠状態になったときにいつでも、前記移動ノード情報を送信するステップを含む、請求項１に記載の方法。
【請求項９】
前記アクセスネットワークから前記ホームネットワークに前記移動ノード情報を送信する前記ステップが、呼セットアップ中にメッセージ内で前記移動ノード情報を送信するステップを含む、請求項１に記載の方法。
【請求項１０】
前記アクセスネットワークから前記ホームネットワークに前記移動ノード情報を送信する前記ステップが、呼中にメッセージ内で前記移動ノード情報を送信するステップを含む、請求項１に記載の方法。
【請求項１１】
前記アクセスネットワークから前記ホームネットワークに前記移動ノード情報を送信する前記ステップが、予め定められた時間間隔で前記移動ノード情報を前記ホームネットワークに送信するステップを含む、請求項１に記載の方法。
【請求項１２】
前記アクセスネットワークで前記移動ノードからの開始要求を受信するステップをさらに含み、前記開始要求は前記アクセスネットワークが前記移動ノード情報を前記ホームネットワークに送信することを可能にする、請求項１に記載の方法。
【請求項１３】
前記アクセスネットワークで前記移動ノードからのメッセージを受信することをさらに含み、前記メッセージが少なくとも前記移動ノード情報を含む、請求項１に記載の方法。
【請求項１４】
前記アクセスネットワークから前記ホームネットワークに前記移動ノード情報を送信する前記ステップが、前記アクセスネットワークから前記ホームネットワークに代理登録要求を送信するステップを含み、前記代理登録要求が少なくとも前記移動ノード情報を含む、請求項１に記載の方法。
【請求項１５】
前記アクセスネットワークから前記ホームネットワークに前記移動ノード情報を送信する前記ステップは、前記アクセスネットワークが代理登録要求を生成し、移動インターネットプロトコル（移動ＩＰ）エクステンションを使用して代理登録要求で前記移動ノード情報を送信することを含む、請求項１に記載の方法。
【請求項１６】
前記ホームネットワークから前記アクセスネットワークに応答メッセージを送信するステップをさらに含み、前記応答メッセージが前記移動ノード情報の寿命を示す、請求項１に記載の方法。
【請求項１７】
前記アクセスネットワークから前記ホームネットワークに前記移動ノード情報を送信する前記ステップが、ネットワークアクセス識別子、認証識別子、データレート、およびドーマンシパラメータから成る群から選択された情報を含むデータパケットメッセージを送信するステップを含む、請求項１に記載の方法。
【請求項１８】
アクセスネットワークとホームネットワークとの間でセッション速度および状態情報を転送する方法であって、
アクセスネットワークで移動ノードのデータレートおよびドーマンシパラメータを受信するステップと、
前記アクセスネットワークで前記移動ノードからの第一登録要求を受信するステップと、
前記アクセスネットワークが応答して第二登録要求をホームネットワークに送信するステップと、
を含み、前記第二登録要求が、前記移動ノードのデータレートおよびドーマンシパラメータから成る群から選択された情報を少なくとも含んで成る、
方法。
【請求項１９】
前記第二登録要求を前記ホームネットワークに送信する前記ステップが、代理登録要求を送信するステップを含む、請求項１８に記載の方法。
【請求項２０】
前記第二登録要求を前記ホームネットワークに送信する前記ステップが、移動インターネットプロトコル（ＩＰ）登録要求を送信するステップを含む、請求項１８に記載の方法。
【請求項２１】
移動ノードからメッセージを受信するように動作する入力インタフェースと、
代理登録メッセージを生成してホームネットワークに送信するように動作する代理登録エージェントと、
を含み、前記代理登録メッセージが、前記移動ノードが動作するデータレートおよび前記移動ノードが活動中であるかどうかを示すドーマンシパラメータから成る群から選択された情報を少なくとも含んで成る、
アクセスネットワーク。
【請求項２２】
呼中に前記代理登録エージェントが前記代理登録メッセージを前記ホームネットワークに送信する、請求項２１に記載のアクセスネットワーク。
【請求項２３】
呼セットアップ中に前記代理登録エージェントが前記代理登録メッセージを前記ホームネットワークに送信する、
請求項２１に記載のアクセスネットワーク。
【請求項２４】
前記代理登録メッセージが移動インターネットプロトコル（ＩＰ）登録メッセージである、請求項２１に記載のアクセスネットワーク。
【請求項２５】
移動インターネットプロトコル（ＩＰ）ネットワークでホームエージェントを割り当てる方法であって、
アクセスネットワークで移動ノードのデータレートおよびドーマンシパラメータを受信するステップと、
前記移動ノードのデータレートおよびドーマンシパラメータから成る群から選択された情報を少なくとも含む代理登録要求を、前記アクセスネットワークからホームエージェント制御ノードに送信するステップと、
前記ホームエージェント制御ノードが、少なくとも部分的に移動ノード情報に基づいて、前記移動ＩＰネットワーク内の複数のホームエージェントからホームエージェントを前記移動ノードに割り当てるステップと、
を含む方法。
【請求項２６】
少なくとも部分的に前記移動ノード情報に基づいて前記移動ＩＰネットワーク内の複数のホームエージェントからホームエージェントを前記移動ノードに割り当てる前記ステップが、前記移動ＩＰネットワーク内の複数のホームエージェントのうちのどのホームエージェントが最小負荷量を有するかを決定するステップと、前記最小負荷量のホームエージェントを前記移動ノードに割り当てるステップとを含む、請求項２５に記載の方法。
【請求項２７】
前記アクセスネットワークから前記ホームエージェントに代理登録要求を送信するステップをさらに含む、請求項２５に記載の方法。
【請求項２８】
前記ホームエージェントがその現行負荷を決定するステップと、前記現行負荷が前記移動ＩＰネットワーク内の前記複数のホームエージェントの各々の負荷より低ければ、前記移動ノードの割当てを受け入れるステップをさらに含む、
請求項２７に記載の方法。
【請求項２９】
前記ホームエージェントの現行負荷が前記移動ＩＰネットワーク内の前記複数のホームエージェントのいずれかの負荷より大きければ、前記ホームエージェントが前記代理登録要求を前記移動ＩＰネットワーク内の前記複数のホームエージェントの一つに送信するステップをさらに含む、前記請求項２８に記載の方法。
【発明の詳細な説明】
【技術分野】
【０００１】
関連出願の相互参照
本願は、２００２年８月３０日に出願した米国特許出願第１０／２３２，３４０号に基づく優先権を主張し、その教示全体を参照によって本書に組み込む。
【０００２】
技術分野
本発明はワイヤレス通信に関し、さらに詳しくは、アクセスネットワークとホームネットワークとの間で移動ノードのデータレートおよび状態情報を転送する方法およびシステムに関する。
【０００３】
背景技術
ワイヤレス通信は、大きく二つのカテゴリつまり移動ワイヤレス通信および固定ワイヤレス通信に分割することができる。各カテゴリは、顧客のニーズおよび技術要件に関してそれ自体の独自の市場を有する。移動ワイヤレス通信は束縛のない（non-tethered）通信を必要とし、一般的にローミング、つまり移動ノードがそのホームシステムの外にあるときに移動ノードにサービスを提供することが可能である。他方、固定ワイヤレス通信は単に、ワイヤード通信の代替物またはサービス提供の代替システムを提供するだけである。固定ワイヤレス装置は移動性を必要としない。代わりに、固定ワイヤレス装置は固定位置からの費用効率の良い通信を必要とする。
【０００４】
インターネットは世界中の情報源へのアクセスを提供し、パーソナルデジタルアシスタント（ＰＤＡ）およびセルラ電話機など、インターネットプロトコル（ＩＰ）接続性を提供するワイヤレス装置およびワイヤレスシステムのますます増大する多様性は、インターネットにアクセスする能力を増大する。固定ワイヤレス接続のようなインターネットへの固定接続ポイントは、インターネットへの移動接続ポイントによって供与される柔軟性を提供しない。ＩＰは、固定接続ポイントの情報のデータパケットを、非移動電話の番号が壁の物理的ジャックに関連付けられるのと大体同様に固定ネットワーク位置に関連付けられるＩＰアドレスに従って、それらの宛先に送る。
【０００５】
「モバイルコンピューティングおよびネットワーキング」と呼ばれる移動接続ポイントは、利用者が接続性を中断せずにワイヤレス装置のインターネットへの接続ポイントを変更することを可能にする。代わりに、再接続は基本的に自動で、かつ非対話的に発生することができる。例えば、接続ポイント間の境界が鮮明でなくしばしば目に見えない、ワイヤレスローカルエリアネットワーク（ＬＡＮ）のオフィス環境では、利用者はインターネットへの接続ポイントを事実上透過的に変更することができる。移動インターネットプロトコル（移動ＩＰ）は、移動ノードが異なるＩＰネットワーク間を透過的に移動し、それに応じてＩＰデータパケットを受信することを可能にする。移動ノードは特定のネットワークまたはホームネットワークに割り当てられ、かつこのホームネットワークに関連付けられた静的ＩＰアドレスまたはホームアドレスをも割り当てられる。移動ノードは「ホームエージェント」と呼ばれる装置を介してホームネットワークと通信することができる。移動ノードは別のネットワークまたは外部ネットワークに移動して、「外部エージェント」と呼ばれる装置を介して外部ネットワークに登録することができる。外部エージェントは、その接続ポイントに一意の気付けアドレスを割り当てることができる。
【０００６】
移動ＩＰでは、ホームアドレスは静的であり、例えば伝送制御プロトコル（ＴＣＰ）接続を識別するために使用される。気付けアドレスはそれぞれの新しい接続ポイントで変化し、移動ノードのトポロジ的に有意なアドレスと考えることができる。気付けアドレスは、全体的なネットワークトポロジに対して移動ノードの接続ポイントを識別する。
【０００７】
ホームアドレスは、移動ノードがホームエージェントを介してそのホームネットワークでデータを絶えず受信することができることを明らかにする。移動ノードがそのホームネットワークに接続されていないときはいつでも、移動ノードは外部エージェントに接続され、外部エージェントに登録される。移動ノードは次いで外部ネットワークを介してホームネットワークと通信することができる。移動ノードが移動しているときはいつでも、それはその新しい気付けアドレス（つまり接続ポイント）をそのホームエージェントに登録する。
【０００８】
ホームエージェントは一般的に、各移動ノードのモビリティバインディングレコード（ＭＢＲ）を維持する。ＭＢＲは、ホームネットワーク上の移動ノードのホームアドレス、外部ネットワーク上の移動ノードの気付けアドレス、およびホームアドレスと気付けアドレスとの間の関連付けの寿命タイマのような移動通信情報を追跡するために使用される。同様に、外部エージェントは移動ノードの通信記録を維持することができる。例えば外部エージェントは一般的に、訪問移動ノードの気付けアドレスの割当てを示す記録を維持する。
【０００９】
さらに、外部エージェントは、ホームエージェントがアクセスできない追加情報にアクセスすることができる。この情報は、特にアプリケーションが外部ネットワークではなくホームネットワーク上に常駐する場合に、ホームエージェントにとって有用である。
【００１０】
概要
例示的実施形態では、アクセスネットワークとホームネットワークとの間で情報を転送する方法を提供する。該方法は、アクセスネットワークを介してホームネットワークと通信する移動ノードを有するネットワークで実行することができる。該方法は、アクセスネットワークからホームネットワークに移動ノード情報を送信することを含むことができる。移動ノード情報は少なくとも、移動ノードが動作するデータレート、および移動ノードが活動中かそれとも休眠中かを示すドーマンシ（dormancy：休眠、休止）パラメータから成る群から選択された情報を含むことができる。
【００１１】
別の観点からは、例示的実施形態は、セッション速度および状態情報をアクセスネットワークとホームネットワークとの間で転送する方法の形態を取ることができる。該方法は、アクセスネットワークで移動ノードのデータレートおよびドーマンシパラメータを受信することを含むことができる。該方法は、アクセスネットワークで移動ノードからの第一登録要求を受信し、それに応答してアクセスネットワークからホームネットワークに第二登録要求を送信することを含むこともできる。第二登録要求は少なくとも移動ノードのデータレートまたはドーマンシパラメータを含むことができる。
【００１２】
さらに別の観点からは、例示的実施形態は、アクセスネットワークの形態を取ることができる。アクセスネットワークは、移動ノードからメッセージを受信する入力インタフェースと、代理登録メッセージを生成してホームネットワークに送信する代理登録エージェントとを含むことができる。代理登録メッセージは少なくとも、移動ノードが動作するデータレートと、移動ノードが活動中かそれとも休眠中かを示すドーマンシパラメータから成る群から選択された情報を含むことができる。
【００１３】
さらなる観点からは、例示的実施形態は、移動インターネットプロトコル（ＩＰ）ネットワークでホームエージェントを割り当てるための方法の形態を取ることができる。該方法は、アクセスネットワークで移動ノードのデータレートおよびドーマンシパラメータを受け取り、アクセスネットワークからホームエージェント制御ノードに代理登録要求を送信することを含むことができる。代理登録要求は少なくとも、移動ノードのデータレートおよびドーマンシパラメータから成る群から選択された情報を含むことができる。該方法はさらに、少なくとも部分的に移動ノード情報に基づいて、移動ＩＰネットワーク内の複数のホームエージェントから一つのホームエージェントを移動ノードに割り当てるホームエージェント制御ノードを含むことができる。
【００１４】
これらのみならず、他の特徴および利点も、添付の図面を適切に参照しながら以下の詳細な説明を読むことにより、当業の通常の熟練者には明らかになるであろう。
【００１５】
実施形態の詳細な説明
ここで、図面に関連して説明する。特に、図１を参照すると、ネットワーク１００の一実施形態が示されている。図１に示すネットワーク１００および本書に記載する他の構成は単なる例として示すものであって、製造および／または消費者の選好に応じて、代わりに他の構成および要素を使用することが可能であり、一部の要素は完全に省くこともできることを理解されたい。
【００１６】
例として、ネットワーク１００は、インタフェース１０４を介して外部エージェント１０６と通信している移動ノード１０２を含む。外部エージェント１０６はトンネリングインタフェース１０８を介してホームエージェント１１０と結合する。外部エージェント１０６およびホームエージェント１１０は両方とも、インターネットプロトコル（ＩＰ）ネットワーク１１２と結合する。外部エージェント１０６はまた、シグナリングインタフェース１１４を介してホームエージェント制御ノード１１６とも結合し、それは次にホームエージェント１１０に結合される。ネットワーク１００ではより多数またはより少数の構成要素を実現することもできる。ネットワーク１００の結合の各々は、（ワイヤード接続かワイヤレス接続かに関係なく）トランクレベル１（Ｔ１）回線、イーサネット回線、シグナリングリンク、またはその他のようなインタフェースとすることができる。
【００１７】
セルラ電話機、パーソナルデジタルアシスタント（ＰＤＡ）、ワイヤレスモデム、または他の移動ノードのような移動ノードをネットワーク１００で使用することができる。図示したより多数または少数の移動ノードがネットワーク１００に存在することができる。
【００１８】
インタフェース１０４は複数のネットワークエンティティを含むことができる。例えば、インタフェース１０４は無線アクセスネットワーク（ＲＡＮ）を含むことができる。ＲＡＮは、基地局制御装置（ＢＳＣ）またはパケット制御機能（ＰＣＦ）のいずれかに結合された、基地トランシーバ局（ＢＴＳ）（またはいずれかの他のワイヤレスアクセスポイント）を含むことができる。移動ノード１０２は、エアインタフェースを介してＢＴＳに通信することができ、ＢＴＳはワイヤードリンクを介してＢＳＣまたはＰＣＦに接続することができる。ＢＳＣまたはＰＣＦは次いで、無線パケット（Ｒ−Ｐ）インタフェースのような総称ルートカプセル化（ＧＲＥ）トンネルにより、外部エージェント１０６に結合することができる。（ＧＲＥに関するさらなる情報については、その開示全体を参照によって本書に組み込むＲＦＣ（Request for comments）１７０１〜１７０２を参照されたい）。Ｒ−Ｐインタフェースは、データをＧＲＥパケット内にカプセル化することによってデータを転送するために使用されるＡ−１０インタフェースと、Ａ−１０接続を管理するためのシグナリング手順を定義するＡ−１１インタフェースとを含むことができる。（Ａ−１１メッセージは、米国電気通信工業会／米国電子工業会／暫定基準２００１（ＴＩＡ／ＥＩＡ／２００１）に規定された移動ＩＰ登録メッセージに基づくものであり、その開示全体を参照によって本書に組み込む）。
【００１９】
外部エージェント１０６は、ＩＰネットワーク１１２への移動ノード１０２のアクセスネットワークとして機能することができる。外部エージェント１０６はパケットデータサービスノード（ＰＤＳＮ）または他のネットワーク装置とすることができる。（移動ノード１０２は、ＭＳが外部エージェント１０６から許可を得た場合、それ自体の外部エージェントとして機能することさえできる）。外部エージェント１０６は、移動ノード１０２のためにインターネット、イントラネット、およびワイヤレスアプリケーションプロトコル（ＷＡＰ）サーバへのアクセスを提供することができる。外部エージェント１０６はまた移動ノード１０２にＩＰアドレスを割り当てることもできる。移動ノード１０２は外部エージェント１０６を通してホームエージェント１１０に通信することができる。
【００２０】
図２は、外部エージェント１０６の一実施形態を示すブロック図である。外部エージェント１０６は、全てバスを通して接続された入力インタフェース２０２、処理装置２０４、登録エージェント２０６、代理登録エージェント２０８、およびデータベース２１０を含むことができる。外部エージェント１０６はネットワーク１００内のアクセスネットワークとして機能することができる。
【００２１】
入力インタフェース２０２は移動ノード１０２から、ＩＰネットワーク１１２から、ホームエージェント１１０から、またはホームエージェント制御ノード１１６から信号を受け取ることができる。したがって、入力インタフェース２０２は、基地局または他のワイヤレスアクセスポイントに接続されたポートのような、ワイヤードインタフェースとすることができる。あるいは、入力インタフェース２０２は、外部エージェント１０６をＩＰネットワーク１１２のようなデータネットワークに接続することを可能にする、パケット交換ネットワークインタフェースとすることができる。入力インタフェース２０２は、外部エージェント１０６への信号を受け取り、かつ外部エージェント１０６から信号を送出するために双方向的に動作することができる。
【００２２】
処理装置２０４は、プログラマブルデジタル信号処理エンジンまたは特定用途向け集積回路（ＡＳＩＣ）を含むことができ、それは機械言語命令を実行して例えば移動ノードに気付けアドレスを割り当てることができる。処理装置２０４はまた、一つまたはそれ以上の高速中央処理装置（ＣＰＵ）を含むこともできる。処理装置２０４は、Ｃ＋＋プログラミング言語のようなオブジェクト指向言語命令を使用するソフトウェアで提供される機械言語命令を実行することができる。しかし、他のプログラミング言語（例えばＣまたはＪａｖａプログラミング言語など）も使用することができる。
【００２３】
データベース２０６は主メモリおよび二次記憶装置を含むことができる。主メモリは高速ランダムアクセスメモリ（ＲＡＭ）または他の何らかの高速メモリ素子またはメモリ回路とすることができる。また、二次記憶装置は、読出し専用メモリ（ＲＯＭ）、光もしく磁気ディスク、または他のいずれかの揮発性もしくは不揮発性記憶システムのような永続的長期記憶装置を含むことができる。当業者は、データベース２０６が代替的構成要素の組合せを含むことができることを理解されるであろう。データベース２０６は移動ノードによって使用されている気付けアドレス、および移動ノードに自由に割り当てることができる気付けアドレスを格納することができる。
【００２４】
登録エージェント２０８は、移動ノード１０２を外部エージェント１０６に登録するために、通知または広告メッセージを移動ノード１０２に送るように機能することができる。代理登録エージェント２１０は、後述するように登録メッセージをも送信するように機能することができる。登録エージェント２０８および代理登録エージェント２１０は処理装置とすることができ、一体的なエンティティを構成することもできる。
【００２５】
図１に戻って説明すると、ホームエージェント１１０は移動ノード１０２のホームネットワークとして機能することができ、かつ／または移動ノードのホームネットワークに接続性を提供することができる。ホームエージェント１１０は移動ノード１０２を追跡し、移動ノード１０２の加入者データを外部エージェント１０６に転送する。ホームエージェント１１０はインターネットサービスプロバイダ（ＩＳＰ）、専用ネットワーク、または他のネットワークとすることができる。ホームエージェント１１０はまた認証、許可、およびアカウンティング（ＡＡＡ）サーバとして機能し、移動ノードが有効な加入者であることを確認し、おそらく課金目的で使用を追跡することもできる。さらに、ホームエージェント１１０は、ＲＦＣ２８６５に記載されているようにリモート認証ダイヤルインユーザサービス（Remote Authentication Dial In User Service：ＲＡＤＩＵＳ）クライアントとしても機能することができ、その開示全体を参照によって本書に組み込む。
【００２６】
ＩＰネットワーク１１２はいずれかのローカルエリアネットワーク（ＬＡＮ）、ワイドエリアネットワーク（ＷＡＮ）、または大規模なデータ接続性を提供するために少なくともパケット交換技術を使用する他のデータネットワークとすることができる。
【００２７】
トンネリングインタフェース１０８およびシグナリングインタフェース１１４はＩＰ−ＩＰおよび／またはＩＰ−ＧＲＥ−ＩＰインタフェースとすることができる。インタフェース１０８および１１４は、データパケットをホームエージェント１１０から外部エージェント１０６に送り、その後、移動ノード１０２のホームアドレスおよび気付けアドレスを使用して、移動ノード１０２に送ることを可能にする。ホームエージェント１１０は、ＩＰネットワーク１１２に接続された装置から移動ノード１０２のホームアドレスに送られるＩＰデータパケットを傍受することができる。ホームエージェント１１０は、移動ノード１０２向けのデータパケットをホームエージェント１１０に送達すべきであることを、ネットワーク１００上の他のノードに通知することができる。ホームエージェント１１０は、移動ノード１０２向けのデータパケットを移動ノードの気付けアドレスに転送することができる。データパケットは、送信する前にＧＲＥパケット内にカプセル化することができる。しかし、他の形のデータカプセル化を使用することもできる。
【００２８】
ホームエージェント制御ノード１１６は複数のホームエージェントを監視することができる。例えば、図１にはホームエージェントが一つしか図示されていないが、複数のホームエージェントをホームエージェント制御ノード１１６に接続することができ、そうするとホームエージェント制御ノード１１６は、複数のホームエージェントを通してシグナリングを監視することができる。ホームエージェント制御ノード１１６は任意選択的なネットワークエンティティであり、希望する場合は省くことができる。
【００２９】
ネットワーク１００は、移動ノードが異なるＩＰサブネットワーク（「サブネット」）間を透過的に移動することを、それらのネットワーク接続性を動的に変更することによって可能にする、移動ＩＰに従って動作することができる。移動ＩＰに関するさらなる情報については、その開示全体を参照によって本書に組み込むＲＦＣ２００２〜２００６を参照されたい。
【００３０】
動作中、移動ノード１０２は最初に、インタフェース１０４を使用して呼セットアップを開始することによって、外部エージェント１０６を通してネットワーク１００との通信を開始する。例えば、インタフェース１０４がＲＡＮであると想定すると、移動ノード１０２はＢＴＳに接触し、それはＰＣＦに接触する。次いでＰＣＦは外部エージェント１０６に接触する。移動ノード１０２がＲＡＮに接触すると、移動ノード１０２は呼特定的情報またはサービスオプション情報をＲＡＮに送る。呼特定的情報は、１４４Ｋｂｐｓの速度で伝送する１ｘＲＴＴ（一無線チャネル無線伝送技術）、または最高２．４Ｍｂｐｓ（ダウンストリームのみ）までの速度で送信する１ｘＥＶＤＯ（一無線チャネルエボリューションデータオンリ）のような移動ノード１０２のデータレート（または移動ノード１０２のデータレートの標識）を含むことができる。移動ノード１０２は、例えば移動ノード１０２の動作状態のような他の移動ノード情報をもＲＡＮに転送することができる。
【００３１】
移動ノード１０２は、外部エージェントとの通信を開始するために、移動ＩＰの場合、外部エージェント１０６または図１に図示しない他のエージェントのような外部エージェントからの「エージェント広告」メッセージを聞くことができる。外部エージェント１０６内の登録エージェント２０８は、インタフェース１０４を介して、移動ノード１０２にエージェント広告メッセージを送信することができる。ホームエージェントおよび外部エージェントは一般的に、規則的な間隔で、例えば一秒に一回、または数秒毎に一回、エージェント広告を同報通信する。移動ノード１０２が気付けアドレスを入手する必要があり、周期的広告を待ちたくない場合、移動ノード１０２は請求を同報通信またはマルチキャストすることができ、それを受信したいずれかの外部エージェントまたはホームエージェントがそれに対して応答する。ホームエージェントは、たとえそれらが気付けアドレスを提供しない場合でも、エージェント広告を使用してそれら自体を知らしめることさえできる。
【００３２】
エージェント広告は、一つまたはそれ以上の利用可能な気付けアドレスをリストし、外部エージェントによって提供された特殊な特徴、例えば代替的データパケットカプセル化技術について移動ノード１０２に知らせ、エージェントがホームエージェントか、外部エージェントか、それとも両方であるか、かつ、したがって移動ノード１０２がそのホームネットワーク上にあるかそれとも外部ネットワーク上にあるかを移動ノード１０２に知らせる。
【００３３】
移動ノード１０２が外部エージェント１０６から、それが今外部エージェント１０６のサブネット内にあることを示すエージェント広告メッセージを受け取ると、移動ノード１０２はこの外部エージェント１０６に登録し、外部エージェント１０６のデータベース２０６から気付けアドレスを入手する。移動ノード１０２および／または外部エージェント１０６は次いで、ホームエージェント１１０に登録要求を送信して、気付けアドレスをホームエージェント１１０に通知し、移動ノード１０２がその初期ホームサブネット（つまりホームエージェント１１０のネットワーク）から離れてローミングしていることを示す。登録要求は、外部エージェント１０６の登録エージェント２０８がネットワーク１００のシグナリング経路内のシグナリングインタフェース１０８を介して送信することができる。
【００３４】
登録要求は、移動ノード１０２のネットワークアクセス識別子（ＮＡＩ）（例えば利用者の＠ｄｏｍａｉｎ．ｃｏｍ）、移動ノード１０２の気付けアドレス、および認証情報を含むことができる。ホームエージェント１００は、登録要求が移動ノード１０２を装っている他の悪意のあるノードでによってではなく、移動ノード１０２によって発信されたものであることを確認しなければならないので、認証情報が必要になることがある。
【００３５】
ホームエージェント１１０が登録要求を受け取ると、ホームエージェント１１０は登録要求からの情報をルーティングテーブルに追加することができ、ホームエージェント１１０は登録要求を承認して、登録応答を外部エージェント１０６および移動ノード１０２に返送することができる。ホームエージェント１１０が要求を受け入れると、ホームエージェント１１０は移動ノード１０２のホームアドレスを移動ノードの気付けアドレスに関連付け、この関連付けを登録の寿命が尽きるまで維持する。登録の寿命とは、移動ノード１０２に対する気付けアドレスが有効な時間の量を指す。外部エージェント１０６は登録寿命を、外部エージェント１０６がそのエージェント広告に含めることができる構成可能な値に制限することができる。ホームエージェント１１０は登録寿命を低減することができ、ホームエージェント１１０はそれを登録応答の一部として含めることができる。
【００３６】
ホームアドレス、気付けアドレス、および登録寿命は全部まとめて、移動ノード１０２のバインディングと呼ばれる。また、したがって登録要求は移動ノード１０２のバインディング更新とみなすことができる。
【００３７】
ある時点で、以前に気付けアドレスを移動ノード１０２に提供していた外部エージェント１０６からの広告を移動ノード１０２がもはや検出することができない場合、移動ノード１０２は、外部エージェント１０６がもはや移動ノード１０２とのワイヤレス通信の範囲内に無いと推測することができる。この状況で、移動ノード１０２は外部エージェント１０６の範囲から外に「ローミング」しており、新しい気付けアドレスを探索し始めるか、あるいはおそらくそれがまだ受け取っている広告から分かる気付けアドレスを使用する必要がある。移動ノード１０２は、最近広告された気付けアドレスを受け取っていない場合、別の広告を待つことを選択することができ、あるいは移動ノード１０２は、エージェント請求を送信することができる。移動ノード１０２は次いで別の外部エージェントとの新しい接触ポイントを受け取ることができ、かつ／または外部エージェント１０６が再びホームエージェント１１０に登録要求を送信して、この新しい接触ポイントを示すことができる。
【００３８】
例示的実施形態では、外部エージェント１０６は追加情報をホームエージェント１１０に送信することもできる。例えば外部エージェント１０６は、移動ノード１０２のデータレートを含む登録要求をホームエージェント１００に送信することができる。しかし、追加情報は、登録要求内ではなく他のメッセージ内で、ホームエージェント１１０に送信することもできる。加えて、ドーマンシパラメータまたは音声呼、ＩＰによる音声（ＶＯＩＰ）呼、またはその他のような呼の型を示す識別子など、他の情報を送信することができる。外部エージェント１０６は、移動ＩＰエクステンションを使用して、ホームエージェント１１０に情報を送信することができる。移動ＩＰエクステンションのより完全な理解のためには、その開示全体を参照によって本書に組み込むＲＦＣ２００２を参照されたい。移動ＩＰエクステンションは型−長さ−値（ＴＬＶ）フォーマットを使用することができる。
【００３９】
一例として、データレートパラメータは、移動ノード１０２の有効なデータレートを示すために、外部エージェント１０６からホームエージェント１１０に送信することができる。（データレートはＲＡＮからのサービスオプションで送られるので、外部エージェント１０６はそれを知っている。ＲＡＮはその動作データレートを最初に移動ノード１０２から受け取ることができ、かつ状態パラメータを絶えず受け取ることができる）。データレートパラメータは、１バイトの長さおよび３３の値を持つことができる。ここで３３は１４４Ｋｂｐｓ（１ｘＲＴＴ）に対応するサービスオプションを示す。２Ｍｂｐｓ（１ｘＥＶＤＯ）に対応するオプション５９のような、他のデータレートサービスオプションも使用することができる。また、データレートパラメータは１バイト以外の任意の長さを持つことができる。
【００４０】
別の例として、移動ノード１０２の状態を示すために、ドーマンシパラメータを外部エージェント１０６からホームエージェント１１０に送信することもできる。再び、移動ノード１０２のドーマンシ状態はインタフェース１０４内でＲＡＮからの更新メッセージで送信することができるので、外部エージェント１０６はそれを知ることができる。ドーマンシパラメータは移動ノード１０２のドーマンシ状態を示すことができる。移動ノードは活動中（トラフィックチャネルを使用している）または休眠中（トラフィックチャネルを使用していない）のいずれかであることができる。ある期間休止している移動体は、自動的に休眠になることができ、それらが送信すべきデータを持ったとき、あるいはそれらにデータが送信されたときのいずれかに、非休眠状態になる。言い換えると、休眠中の移動ノードはそのトラフィックチャネルを放棄し、データパケットを送受信しない。しかし、移動ノードはページングチャネルを聞くことができ、ユーザコマンドに応答することができる。（したがって、移動ノードがページングチャネルでページングされるか、あるいはユーザがネットワークへのアクセスを要求すると、装置は休眠から脱してトラフィックチャネルを再確立する）。例えば、移動ノードが休眠中でない場合、ドーマンシパラメータは１バイトの長さおよび０の値を持ち、あるいは移動ノードが休眠中である場合、１の値を持つことができる。他の例も可能である。
【００４１】
ドーマンシ情報は、ネットワーク１００内に存在する仮想プレゼンスサーバ内で使用することができる。例えば、ネットワーク１００はインスタントメッセージングサーバを含むことができ、それは移動ノード１０２のドーマンシ情報を使用して、移動ノード１０２の利用者が「オンライン」（つまり非休眠中）か、それとも「不在」（つまり休眠中）かを示すことができる。
【００４２】
データレートおよびドーマンシパラメータは、シグナリング経路（つまり呼セットアップまたはティアダウン）内で外部エージェント１０６からホームエージェント１１０に送信されるメッセージに挿入または付加することができる。例えば、データレートおよびドーマンシパラメータは移動ＩＰ登録要求に挿入することができる。代理登録エージェント２１０は、代理登録メッセージを生成するために、データレート、ドーマンシパラメータ、および他の移動ノード情報をメッセージに付加することができる。代理登録エージェント２１０は次いで代理登録メッセージをホームエージェント１１０に送信することができる。
【００４３】
図３Ａは、データパケットメッセージ３００のフォーマットの一形態を示す。データパケットメッセージ３００は登録要求、代理登録メッセージ、または他のメッセージとすることができる。データパケットメッセージ３００は移動ＩＰ固定ヘッダ（ＲＦＣ２００２〜２００６に規定する通り）、ＮＡＩ、ＭＮ−ＨＡ（移動ノード−ホームエージェント）認証オプション、さらなるオプション（例えば登録情報）、ＭＮ−ＡＡＡ（移動ノード−ＡＡＡ）認証オプション、データレートパラメータ、およびＦＡ−ＨＡ（外部エージェント−ホームエージェント）認証オプションのような多数のオプションを含むことができる。データレートパラメータは、移動ＩＰ登録要求内で、ＭＮ−ＨＡおよびＭＮ−ＡＡＡ認証オプションによって保護される全ての属性の後に配置することができる。データパケットメッセージ３００は、図３Ａに示されるより多数または少数のパラメータを含むことができ、また任意のビット数および／またはレイヤ数を含むことができる。
【００４４】
図３Ｂは、データパケットメッセージ３０２の別の実施形態を示す。データパケットメッセージ３０２は移動ＩＰ固定ヘッダ、ドーマンシパラメータ、およびＦＡ−ＨＡ認証オプションを含むことができる。データパケットメッセージ３０２は、図３Ｂに示されるより多数または少数のパラメータまたはオプションを含むことができ、かつ任意のビット数および／またはレイヤ数を含むことができる。
【００４５】
データパケットメッセージ３００および３０２は任意のサイズとすることができ、データパケットメッセージ３００および３０２がいつ送信されるかによって、異なる情報を含むことができる。例えば、データパケットメッセージ３００および／または３０２が呼セットアップ中に送信される場合には、データパケットメッセージ３００および／または３０２は、移動ノード１０２の追加的な認証および／またはネットワークアドレス情報を含むために、より大きくすることができる。しかし、データパケットメッセージ３００および／または３０２が呼中に送信される場合には、データパケットメッセージ３００および／または３０２は、呼がすでにセットアップされていると登録情報は不要なので、ホームエージェント１１０のためにこの情報を更新するために、移動ノード１０２のパラメータを含むだけでよい。
【００４６】
データパケットメッセージ３００および／または３０２は、例えば移動ＩＰ登録要求のように既存の移動ＩＰメッセージを使用して、外部エージェント１０６からホームエージェント１１０に送信することができる。図４は、ネットワーク１００内でのメッセージの転送の一実施形態を示すメッセージ流れ図である。図４に示すメッセージは、移動ノード１０２の動作データレートを示すための送信することができる。最初に、インタフェース１０４のエンティティがＡ−１１登録要求メッセージ４００を外部エージェント１０６に送信することができる。外部エージェント１０６は次いで、移動ＩＰ登録要求メッセージ４０２をホームエージェント１１０に送信することができる。メッセージ４０２は、移動ノード１０２のデータレートを示すデータレートパラメータを含むことができる。ホームエージェント１１０は移動ＩＰ登録応答メッセージ４０４を外部エージェント１０６に返送することができ、外部エージェント１０６はＡ−１１登録応答メッセージ４０６をインタフェース１０４に送信することができる。
【００４７】
図５は、ネットワーク１００内でのメッセージの転送の別の実施形態を示すメッセージ流れ図である。図５に示すメッセージは、移動ノード１０２が例えば休眠状態になったことを示すために送信することができる。移動ノード１０２が休眠すると、外部エージェント１０６は、インタフェース１０４を含むＲＡＮのＰＣＦからＡ−１１登録要求メッセージ５００を受信することができる。Ａ−１１登録要求メッセージ５００は、課金目的に使用することができる「アカウンティング停止」を外部エージェント１０６に示すことができる。アカウンティング停止は、移動ノード１０２が休眠中であり、もはやネットワーク１００のサービスを使用しておらず、したがって移動ノード１０２の休眠中はそれに料金を請求できないことを示す。外部エージェント１０６は次いで、休眠にセットされたドーマンシパラメータを含む移動ＩＰ登録要求メッセージ５０２を生成して、メッセージ５０２をホームエージェント１１０に送信することができる。
【００４８】
外部エージェント１０６はまた、Ａ−１１登録応答メッセージ５０４をインタフェース１０４のＰＣＦに送信することもでき、それはこの情報を移動ノード１０２に転送する。Ａ−１１登録応答メッセージ５０４は、ＲＡＮからの要求の受信を確認するために送信することができる。また、おそらく同時に、ホームエージェント１１０は、メッセージ５０２に応答して、移動ＩＰ登録応答メッセージ５０６を外部エージェント１０６に送信することができる。外部エージェント１０６は移動ノード１０２に代わって登録要求メッセージ５０２を送信したので、外部エージェント１０６は登録応答メッセージ５０６を移動ノード１０２に転送することができない。ある意味で、外部エージェント１０６は、移動ノード１０２のドーマンシ状態のような情報をホームエージェント１１０に転送するために、移動ノード１０２のための代理移動ＩＰメッセージを送信することができる。
【００４９】
図６は、ネットワーク１００内でのメッセージの転送の別の実施形態を示すメッセージ流れ図である。図６に示すメッセージは、移動ノード１０２が例えば非休眠状態になったことを示すために送信することができる。移動ノード１０２が活動状態になると、外部エージェント１０６は、インタフェース１０４を含むＲＡＮのＰＣＦからＡ−１１登録要求メッセージ６００を受信することができる。Ａ−１１登録要求メッセージ６００は、課金目的に使用することができる「アカウンティング開始」を外部エージェント１０６に示すことができる。アカウンティング開始は、移動ノード１０２が活動中であり、ネットワーク１００のサービスを使用していることを示す。外部エージェント１０６は次いで、非休眠にセットされたドーマンシパラメータを含む移動ＩＰ登録要求メッセージ６０２を生成して、メッセージ６０２をホームエージェント１１０に送信することができる。
【００５０】
再び、外部エージェント１０６は移動ノード１０２に代わって登録要求メッセージ６０２を送信することができ、したがって外部エージェント１０６は代理Ａ−１１登録応答メッセージ６０４をインタフェース１０４に送信することができる。また、外部エージェント１０６は、移動ＩＰ登録応答メッセージ６０６を移動ノード１０２に転送することができない。
【００５１】
ドーマンシパラメータを含む登録要求メッセージはまた、ネットワーク１００のどの移動ノード１０２が休眠中または非休眠中であるかをホームエージェント１１０に示すために、移動ノード１０２のＮＡＩおよび／またはＩＰアドレスを含むこともできる。
【００５２】
図４〜６に示したメッセージ流れ図は、呼セットアップ中または呼中のシグナリングをも示すことができる。したがって、外部エージェント１０６およびホームエージェント１１０は、例えば移動ノード１０２のドーマンシを示すような移動ノードの情報を更新するために送信することができる反復登録のため、登録要求を送信しかつ受け入れるように常に備える必要があるかもしれない。加えて、データレートまたはドーマンシパラメータのいずれかを含む移動ノード１０２情報をホームエージェント１１０に定期的に送信するように、外部エージェント１０６に指示することができる。
【００５３】
データレートパラメータは（変更されないので）、呼セットアップ中に送信される登録要求に含めるだけでよい。しかし、移動ノード１０２が変化するデータレートに従って動作する場合には、データレートが変化するたびに毎回登録要求を送信することができる。加えて、ドーマンシパラメータはいつでも、移動ノード１０２の活動状態または非活動状態を示すために、あるいは移動ノード１０２が活動状態から非活動状態に、またはその逆に変化したときにはいつでも、登録要求内で送信することができる。
【００５４】
上述した通り、移動ノード情報、例えばデータレート、ドーマンシパラメータ等は、図４〜６に示したようにＡ−１１登録要求を使用して、ＲＡＮから外部エージェント１０６に送信することができる。このようにして外部エージェント１０６はこの情報を受信し、移動ノード１０２に代わって、必要な移動ノード情報を含む移動ＩＰ登録要求（つまり代理登録要求）を生成し、この要求をホームエージェント１１０に送信することができる。したがって、移動ノード１０２が外部エージェント１０６にそうするように要求するかどうかに関わらず、外部エージェント１０６はいつでも、例えば移動ノード１０２のドーマンシ状態を示す登録要求をホームエージェント１１０に送信することができる。この代理登録要求は、このときにはより少ない情報を送信することができるので、呼セットアップのために使用される非代理登録要求より長さを小さくすることができる。
【００５５】
外部エージェント１０６は、登録要求内のパラメータの寿命を算出することができる。寿命とは、パラメータが有効である時間の量とすることができる。外部エージェント１０６は、寿命が尽きると、移動ノード１０２が要求を開始しなくても、リフレッシュ登録要求メッセージを送信することができる。これは、新しい寿命を開始するために遂行することができる。代替的に、移動ノード１０２はいつでも登録要求を開始することができる。
【００５６】
図７は、アクセスネットワークとホームネットワークとの間でセッション速度および状態情報を転送するための方法７００の一実施形態を示す。移動ノード（移動ノード１０２など）は、ブロック７０２に示すように、ＲＡＮ（つまりインタフェース１０４）との通信を開始することができる。移動ノード１０２は、移動ノード１０２のドーマンシ状態および／または移動ノード１０２が動作するデータレートのような移動ノード情報をＲＡＮに示すことができる。移動ノード１０２は次いで、ブロック７０４に示すように、アクセスネットワークにログインすることができる。移動ノードは、外部エージェント１０６、ＰＤＳＮ、または他のネットワーク装置など、任意の装置を介して任意のアクセスネットワークにログインすることができる。ＲＡＮは、ブロック７０６に示すように、アクセスネットワークに移動ノード１０２のパラメータを通知することができる。ＲＡＮは、例えば移動ノード１０２のデータレートなど、任意の数のパラメータおよび任意の型のパラメータをも示すことができる。アクセスネットワークは、ブロック７０８に示すように、パラメータを登録要求などのメッセージに付加することができる。パラメータは任意の型のメッセージに付加することができる。加えてパラメータは、メッセージの最後にパラメータを付加するなど、任意の方法でメッセージに付加することができる。次いでアクセスネットワークは、ブロック７１０に示すように、ホームネットワーク上の装置（ホームエージェント１１０など）にメッセージを送信することができる。例えば、ＩＰネットワークはホームネットワークとすることができる。ブロック７１２に示すように、ホームネットワークはメッセージを受信し、メッセージ応答をアクセスネットワークに送信することができる。
【００５７】
アクセスネットワークはまた、登録要求をホームエージェント制御ノード１１６に送信することもできる。ネットワーク１００内のホームエージェント制御ノード１１６は次いで、呼セットアップ中に移動ノードへのホームエージェントの割当てを均衡させることができる。ホームエージェントのロードバランシングに関しては、その開示全体を参照によって本書に組み込む、「ホームエージェント負荷バランスのシステム及び方法（System and Method for Home Agent Load Balancing）」と称する２００２年８月１６日に出願した代理人番号第０１−１６７０号の特許出願を参照されたい。
【００５８】
一実施形態では、ホームエージェントは、移動ノードの負荷情報を使用することによって、ネットワーク１００内の複数のホームエージェントから選択される。例えば、ネットワーク１００内の各ホームエージェントは、各ホームエージェントの現在の負荷の情報を有する分散負荷情報データベースを含むことができる。ホームエージェントはインタフェース１０４から移動ＩＰ登録要求メッセージを受信し、その分散負荷情報データベースから、それがネットワーク１００内で最小負荷量のホームエージェントであるかどうかを決定することができる。そうである場合、このホームエージェントは移動ノードを受け入れ、呼セッションを確立する。そうでない場合、このホームエージェントは移動ＩＰ登録要求を別のホームエージェントに渡し、それが同じ手順を辿る。
【００５９】
別の実施形態では、ホームエージェント制御ノード１１６が外部エージェント１０６から移動ノードの移動ＩＰ登録要求を受信し、ネットワーク１００内のどのホームエージェントが最小量の負荷を有するかを決定することができる。ホームエージェント制御ノード１１６は次いで、最小量の負荷のホームエージェントにこの移動ノードを処理するように命じることができる。
【００６０】
ホームエージェント制御ノード１１６は、呼数に基づいて、またはホームエージェント１１０に割り当てられた移動ノードの個数に基づいて、ホームエージェント１１０のトラフィックの均衡を保つことができる。ホームエージェント１１０に対し、それが一度に積極的にサポートすることができる呼または移動ノードの最大個数を指定することができる。しかし、全ての移動ノードが同じデータレートで動作するわけではなく、したがって、低いデータレートに基づいて移動ノードの最大量がホームエージェント１１０に割り当てられた場合、全ての移動ノードが低いデータレートで動作しなければ、ホームエージェント１１０が処理できる最大量より多量のトラフィックをホームエージェント１１０に割り当てることができる。また、最大数より多数の移動ノードが同時に活動状態になると、ホームエージェント１１０は過負荷状態になることがあり、故障するかもしれない。
【００６１】
一実施形態では、ホームエージェント制御ノード１１６は、移動ノードのデータレートおよびドーマンシパラメータに基づいて、移動ノードへのホームエージェントの割当てを均衡させることができる。ネットワーク１００のホームエージェントはホームエージェント制御ノード１１６に、（外部エージェントから受信した情報を使用して）動作移動ノードのデータレートを通知することができる。ホームエージェント制御ノード１１６は次いで、移動ノードのデータレートに基づいて、新しいトラフィックの負荷バランスを取ることができる。例えば、１ｘＥＶＤＯ移動ノードはずっと高いデータレートで受信することができるので、１ｘＥＶＤＯ移動ノードは複数の１ｘＲＴＴ移動ノードとして加重することができる。また、ホームエージェント制御ノード１１６は移動ノードのデータレートを知っているので、ホームエージェント制御ノード１１６は、移動ノードのトラフィックを推定するのではなく、最適にトラフィックを均衡させることができる。いつでも同時にホームエージェント１１０にその容量より多くを割り当てることはできない。
【００６２】
ホームエージェント制御ノード１１６はまた、移動ノード１０２のドーマンシパラメータに基づいてトラフィックの負荷バランスを取ることともできる。
【００６３】
本発明を現在の好適な発明の実施形態に関連して説明したが、発明の範囲および精神から逸脱することなく、変形を施すことができることを当業者は理解されるであろう。例えば、上記の説明は外部エージェントとホームエージェントとの間のトンネリングシグナリングに関して提示したが、外部エージェントからホームエージェントへ情報を転送するために、例えばプロプライエタリシグナリングプロトコルなど、任意の型のシグナリングを使用することができる。
【００６４】
加えて、一般的にネットワーク１００内では、移動ノード１０２は、インタフェース１０４が情報を受信するとすぐにこの情報を外部エージェント１０６に転送することを意図して、インタフェース１０４に情報を送信することがある。しかし、インタフェース１０４は、移動ノード１０２によって催促されなくても、いつでも移動ノード１０２情報を外部エージェント１０６に送信することができる。代替的に、インタフェース１０４は、移動ノード１０２によってそうするために起動された場合にだけ、外部エージェント１０６に移動ノード情報を送信することもできる。同様に、外部エージェント１０６は、そうするように催促されて、または催促されずに、かつ／または予め定められた時間間隔で、おそらく移動ノードの更新ドーマンシ状態を示すために、ホームエージェント１１０にこの情報を送信することができる。他の例も可能である。
【００６５】
本発明の真の範囲および精神は請求の範囲によって規定され、それは上述の内容に照らして解釈することができる。
【図面の簡単な説明】
【００６６】
添付の図面に関し、同じ参照番号は同じ要素を表わしている。
【図１】ネットワークの一実施形態を示すブロック図である。
【図２】アクセスネットワークの一実施形態を示すブロック図である。
【図３Ａ−３Ｂ】データパケットフォーマットの別の実施形態を示す図である。
【図４】図１に示したネットワーク内でメッセージを転送する一実施形態を示すメッセージ流れ図である。
【図５】図１に示したネットワーク内でメッセージを転送する別の実施形態を示すメッセージ流れ図である。
【図６】図１に示したネットワーク内でメッセージを転送するさらに別の実施形態を示すメッセージ流れ図である。
【図７】図１に示したネットワークの機能ブロックの一実施形態を示す図である。
【図１】
2005537767.tif 000003
【図２】
2005537767.tif 000004
【図３Ａ−３Ｂ】
2005537767.tif 000005
【図４】
2005537767.tif 000006
【図５】
2005537767.tif 000007
【図６】
2005537767.tif 000008
【図７】
2005537767.tif 000009
【国際調査報告】
2005537767.tif 000010